(57)【要約】【課題】作業範囲を限定されることなく、手軽に鉄塔の上に持ち運ぶことのできる送電線用作業足場を提供することを目的とする。【解決手段】送電線に引っ掛けるフック部と、フック部から垂下するパイプ状の柱部と、柱部の下端部から側方に突出する踏板部を備え、フック部は、断面Ｃ字状のフック本体部と、フック本体部の開口部である送電線挿入口を開閉可能な閉鎖部材を備えることを特徴とする送電線用足場。【選択図】      図１
2014062399.tif 000002
【特許請求の範囲】
【請求項１】
送電線に引っ掛けるフック部と、フック部から垂下するパイプ状の柱部と、柱部の下端部から側方に突出する踏板部を備え、
フック部は、断面Ｃ字状のフック本体部と、フック本体部の開口部である送電線挿入口を開閉可能な閉鎖部材を備えることを特徴とする送電線用足場。
【請求項２】
柱部は、上柱部と、下柱部と、上柱部と下柱部とを連結する連結ピンを備え、
上柱部とフック部とを一体とする懸垂部材、並びに下柱部と踏板部とを一体とする足場部材を備え、
上柱部の下部と下柱部の上部が互いの周方向の向きを変更可能に嵌合すると共に、上柱部と下柱部には周方向に間隔をあけて連結ピン挿入用の止め孔を備えることを特徴とする請求項１に記載の送電線用足場。
【請求項３】
上柱部に対して下柱部を高さ方向に移動可能に差し込んであり、
上柱部と下柱部には互いの高さ方向に間隔をあけて連結ピン挿入用の止め孔を備えることを特徴とする請求項２に記載の送電線用足場。
【発明の詳細な説明】
【技術分野】
【０００１】
本発明は、鉄塔の上部において送電線やがいし装置の保守、点検等の時に送電線に取り付ける送電線用足場に関する。
【背景技術】
【０００２】
前記した保守、点検等をする方法の一つとして、素乗りと言われる方法があり、これは作業者が送電線の上に跨ったり、腹ばいになったりしながら乗り、その格好でバランスを取りながら補修作業をする方法である。
【０００３】
しかしながら、この方法は、送電線を片手で掴みながら残りの片手で作業することや、絶えずバランスを取らなければならず、作業姿勢に無理がある。また、送電線の上に跨っているので、お尻や太股に全体重がかかり、痛みをこらえなければならない。
【０００４】
素乗り方法によるこのような不都合を解消するために、送電線に取り付ける送電線用作業足場が存在する。その一つとして、例えば、梯子状の足場本体と、足場本体の長手方向の一端部に設けるフックと、他端側に設ける取付金具から構成されるものが存在する（特許文献１。）。
【先行技術文献】
【特許文献】
【０００５】
【特許文献１】特開２０１０−６５４３３号公報、図５
【発明の概要】
【発明が解決しようとする課題】
【０００６】
しかしながら、前記作業足場は、足場本体が梯子状である。梯子は、２本の長い材に横木を幾段も取り付ける構成なので、足場本体が長くなりがちである。通常、梯子状の足場本体の長さは、１．５ｍ以上もあり、鉄塔の上部に運ぶには重量がありすぎる。また、取付金具を鉄塔に固定する関係上、足場本体の位置は鉄塔を基点としたものとなり、それ故、作業範囲が限定されていた。
【０００７】
本発明は、上記実情を考慮したもので、作業範囲を限定されることなく、手軽に鉄塔の上に持ち運ぶことのできる送電線用足場を提供することを目的とする。
【課題を解決するための手段】
【０００８】
本発明の送電線用足場は、送電線に引っ掛けるフック部と、フック部から垂下するパイプ状の柱部と、柱部の下端部から側方に突出する踏板部を備え、フック部は、断面Ｃ字状のフック本体部と、フック本体部の開口部である送電線挿入口を開閉可能な閉鎖部材を備えることを特徴とする。
【０００９】
踏板部の上が作業領域であるので、作業領域がフック本体部に対してどのような位置関係にあるかによって、作業性が変わる。作業者が自身にとって作業しやすい作業領域を確保できるようにするには、次のようにすることが望ましい。
すなわち、柱部は、上柱部と、下柱部と、上柱部と下柱部とを連結する連結ピンを備え、  上柱部とフック部とを一体とする懸垂部材、並びに下柱部と踏板部とを一体とする足場部材を備え、上柱部の下部と下柱部の上部が互いの周方向の向きを変更可能に嵌合すると共に、上柱部と下柱部には周方向に間隔をあけて連結ピン挿入用の止め孔を備えることである。
【００１０】
フック本体部に対する踏板部の高さ位置を変更可能とするには、次のようにすることが望ましい。
すなわち、上柱部に対して下柱部を高さ方向に移動可能に差し込んであり、上柱部と下柱部には互いの高さ方向に間隔をあけて連結ピン挿入用の止め孔を備えることである。
【発明の効果】
【００１１】
本発明によれば、フック本体部を断面Ｃ字状としてあるので、送電線にフック本体部を送電線挿入口から差し込むことによって、送電線の所望の位置に吊り下げることができる。しかも、吊り下げた後でも、フック本体部を送電線に沿って移動させることにより、作業範囲を機動的に変更することができる。また、フック本体部を断面Ｃ字状とし、柱部をパイプ状とすることによって軽量化を図ることができ、持ち運びも容易となる。
【００１２】
また、柱部を上柱部と下柱部を連結ピンで連結する構成の場合には、周方向に間隔をおいて設けられた止め孔の位置を選択することによって、作業者は、踏板（作業領域）とフック本体部との位置関係を変更することができる。
【００１３】
更に、上柱部と下柱部との高さ方向に間隔をおいて設けられた止め孔の位置を選択することによって、作業者はフック本体部に対する踏板部の高さ方向の位置を変更することができる。
【図面の簡単な説明】
【００１４】
【図１】本発明の送電線用足場の一例を分解して示す斜視図である。
【図２】（Ａ）、（Ｂ）図は、本発明の送電線用足場の一例を分解して示す側面図、正面図である。
【図３】本発明の送電線用足場の一例について、フック本体部と踏板部との位置関係を示す平面図である。
【図４】本発明の送電線用足場の一例についての使用状態を示す説明図である。
【発明を実施するための形態】
【００１５】
本発明の送電線用足場１の一例が図１〜図３に示されている。因みに、図２（Ｂ）においては、後述の連結ピン４を省略して記載してある。送電線用足場１の一例は、送電線Ｌに引っ掛けて吊り下げる懸垂部材２と、作業者が載る足場部材３と、懸垂部材２の下側に足場部材３を連結する連結ピン４から構成される。因みに、これら各構成は、主に剛体（一例としては鉄に代表される金属）を用いて製作されている。以下、各構成を順に詳述する。
【００１６】
懸垂部材２は、送電線Ｌに引っ掛けるフック部５と、フック部５から垂下する上柱部６とが一体になっている。
【００１７】
フック部５は、水平方向に延長する断面Ｃ字状のフック本体部５１と、フック本体部５１の開口部である送電線挿入口５１ｆを開閉可能な閉鎖部材５３とを主として備えている。
【００１８】
フック本体部５１は、水平方向に延長する送電線挿入口５１ｆに対して上側に位置する上顎片５１ａと、上顎片５１ａの上端から横向きに延長する上片５１ｂと、送電線挿入口５１ｆに対して下側に位置する下顎片５１ｅと、下顎片５１ｅの下端から横向きに延長する下片５１ｄと、上片５１ｂ及び下片５１ｄを繋ぐ接続片５１ｃとから構成されている。このようなフック本体部５１は、金属製の剛体であり、その断面Ｃ字状の内面には、自身よりも摩擦係数の高い部材としてゴム製の滑り止め部５２が接着等して固定される。より詳しくいえば、滑り止め部５２は、断面Ｃ字状の内面の全域に固定されている。但し、滑り止め部５２は、フック本体部５１の内面全域のうち少なくとも送電線挿入口５１ｆよりも上側領域において固定されていれば、送電線Ｌに対する滑り止め効果は得られる。
【００１９】
閉鎖部材５３は、帯状片である。そして２つの帯状片５３、５３が揺動可能となるようにその一端部が下顎片５１ｅの前後端部に支持され、他端部が上顎片５１ａの前後端部に固定される。具体的には、各帯状片５３は、送電線挿入口５１ｆよりも上下方向に長く形成されている。そして各帯状片５３の一端部を筒状としてある。この筒状の一端部に軸５４を水平方向に挿通し、軸５４の両端部を挿通して支える２つのブラケット部５５、５５が下顎片５１ｅの前後端部においてそれぞれ前後に間隔をあけて外側に突出している。このようにして帯状片５３は、軸５４を中心として揺動可能に支持される。また、２つの帯状片５３、５３の他端部についてはネジ部材５６が取り付けられており、前側及び後側のネジ部材５６を捻じ込むナット部材５７が上顎片５１ａの前後端部に固定されている。閉鎖部材５３を揺動可能に支持するフック本体部５１の下面であって、前後幅方向の中央部から柱状の接合部５８が垂下しており、この接合部５８から上柱部６が垂下している。
【００２０】
上柱部６は、円形のパイプであって、その外周面には高さ方向に間隔をあけて連結ピン用の止め孔としての第１の止め孔６１ａが複数貫通して形成されると共に、連結ピン用の止め孔としての第２の止め孔６１ｂが第１の止め孔６１ａに対して円周方向に間隔をあけて（上柱部６の中心から９０度回った位置に）貫通して形成されている。第２の止め孔６１ｂの高さ位置は、上下に隣り合う第１の止め孔６１ａ、６１ａの間（より詳しくは中間）に位置している。従って、第１の止め孔６１ａと第２の止め孔６１ｂは千鳥状に形成されている。また、より詳しく言えば、第１の止め孔６１ａの貫通方向は、フック本体部５１の内側に形成される送電線収容空間５１ｇの貫通方向と平行となる位置関係にある。
【００２１】
上柱部６の上端部にはＵ字状の取付部６２が側方に突出しており、この取付部６２に鎖状のチェーン６３を介して連結ピン４を固定してある。
【００２２】
足場部材３は、上柱部６に対して連結可能な下柱部７と、下柱部７の下端部に接合する踏板部８と、踏板部８の底面及び下柱部７の下端部に接合する土台部９とを備えている。
【００２３】
下柱部７は、上柱部６の内側に差し込んで嵌合する円形のパイプである。また、下柱部７は、上柱部６の第１の止め孔６１ａ及び第２の止め孔６１ｂと同様に、その外周面には高さ方向に間隔をあけて連結ピン用の止め孔としての第３の止め孔７１ａが複数貫通して形成されると共に、第３の止め孔７１ａに対して円周方向に間隔をあけて（下柱部７の中心から９０度回った位置に）且つ千鳥状に高さ方向に間隔をあけて第４の止め孔７１ｂが複数貫通して形成される。
【００２４】
踏板部８は、平面視して矩形状（より詳しくは長辺と短辺を含む矩形状の）の平板であって、その四隅を丸く膨らむ円弧状に面取りしてある形状である。また、踏板部８には、その外周部に振れ止めロープ用の連結孔８１ａが厚み方向に貫通して形成されている。なお、踏板部８の外周部と下柱部７とで形成される角部には補強板７２が溶接等して固定されている。このような踏板部８の底面には土台部９が固定される。
【００２５】
土台部９は、下柱部７の下端部から直交方向に延長するパイプ状の縦補強部材９１と、縦補強部材９１に対して交差（より詳しくは直交）する板状の横補強部材９２とを備えている。これら縦補強部材９１の一端部は下柱部７の下端部に対して溶接して固定され、縦補強部材９１と横補強部材９２との上面に踏板部８の底面が溶接等して固定される。因みに、踏板部８の底面には、その長辺方向に二等分する位置の下側に縦補強部材９１が配置され、その短辺方向に二等分する位置の下側に横補強部材９２が配置されている。
【００２６】
このような土台部９、踏板部８及び下柱部７が一体となった足場部材３と、フック部５及び上柱部６が一体となった懸垂部材２は、連結ピン４によって連結される。
【００２７】
連結ピン４は、棒状材であって、図示の例では軸部４１と、軸部４１の一端部に一体として設けられる頭部４２と、軸部４１の他端部に対してピン４３で揺動可能に連結された軸先部４４を主として構成される周知のものである。頭部４２は、軸部４１よりも直径が大きく形成されている。また、軸先部と軸部４１との連結部分は、一方が二股片となっており、他方がその二股片の間に収容される中片となっており、これら二股片と中片をピン４３で貫通する状態に連結してある。この連結ピン４を、上柱部６と下柱部７の互いの止め孔に対して軸部４１と軸先部４４とを一直線状にした状態で刺し通すと、上柱部６と下柱部７を軸部４１が貫通し、軸部４１に対して軸先部４４が自重で折れ曲がり、連結ピン４が抜け外れないようになる。このようにして連結ピン４を介して一体化された下柱部７と上柱部６によって柱部１０を構成する。
【００２８】
上述した送電線用足場１の一例は、全体寸法を高さ１．２ｍ以下、縦０．４ｍ以下、横０、４ｍ以下となるように構成してある。なお、この高さ寸法は、柱部１０が最も長くなるように上柱部６と下柱部７を連結ピン４で連結した場合を想定している。
【００２９】
上述した送電線用足場１の一例を使用する場合は、以下（１）〜（５）の手順に基づいて行われる。
（１）互いに円形のパイプである上柱部６の下部に下柱部７の上部を差し込んで嵌合させる。この嵌合状態では、上柱部６に対して下柱部７が高さ方向に移動可能であると共に、上柱部６の下部と下柱部７の上部が互いの周方向の向きを変更可能である。この嵌合具合を作業者の判断に応じて高さ方向及び円周方向に調整し、上柱部６の止め孔と下柱部７の止め孔に対して連結ピン４を刺し通すことによって送電線用足場１を一体化する。そしてこの一体化によって、踏板部８に対するフック部５との高さ寸法と、作業領域となる踏板部８に対するフック部５の向きが定まる。
（２）作業者は、一体化した送電線用足場１を持って鉄塔を上がり、踏板部８の連結孔８１ａに一端部を連結した振れ止めロープ８２の他端部を、鉄塔の腕金に連結する。
（３）送電線挿入口５１ｆからフック本体部５１を送電線Ｌに差し込むことによって、送電線Ｌの所望の位置に吊り下げる。
（４）次に、閉鎖部材５３の他端部を引き上げて、ネジ部材５６をナット部材５７に捻じ込んで送電線挿入口５１ｆを２箇所において部分的に閉鎖し、送電線用足場１が送電線Ｌから外れないようにする。この状態において、フック本体部５１をその送電線収容空間５１ｇの貫通方向に沿って動かして、送電線用足場１の位置をずらすことも可能である。
（５）作業者の腰には安全帯８３が巻かれており、この安全帯８３に対して落下防止ロープ８４を、フック本体部５１の外周を巻くようにして取り付ける。
（６）この後、図４の例では、がいし装置の一例としての懸垂がいし連Ｉ、アークホーンＡ、クランプＣ、アーマロッドＲを点検する。因みに、図４においては、アーマロッドＲの上にフック本体部５１を引っ掛けて吊り下げてあるが、このアーマロッドＲを取り替える場合は、フック本体部５１を送電線Ｌに沿ってアーマロッドＲの範囲外にずらして、容易に交換することができる。このように懸垂がいし連Ｉ等の点検や簡単な交換作業時に、この送電線用足場１は有効である。
【００３０】
本発明は上記実施形態に限定されるものではない。例えば、上柱部６と下柱部７は、それぞれ角パイプであってもよく、この場合に、作業領域となる踏板部に対するフック部の向きを定めるには、上柱部６の下部に対して下柱部７の上部を抜き出してから、踏板部８の向きを所望の位置に合わせて、上柱部６の下部に対して下柱部７の上部を再度差込み、連結ピン４で連結すればよい。従って、上柱部６と下柱部７は角パイプであっても、互いの周方向の向きを変更可能となる。
【００３１】
また、閉鎖部材５３は、送電線挿入口５１ｆの全域を閉鎖するように幅広であっても良い。更に、閉鎖部材５３は、その一端部をフック本体部５１に支持されているものに限らず、着脱可能なものであっても良い。なお、閉鎖部材５３は、剛体に限らず、紐、板バネ等の他の材料で形成されていても良い。
【００３２】
また、送電線用足場１は、懸垂部材２と足場部材３とを別体とし、これらを連結ピン４で連結する構成としてあるが、フック部５と柱部１０と踏板部８を一体とするもの、つまり一体物であっても良いし、これらフック部５と柱部１０と踏板部８とをそれぞれ別体とし、それぞれを連結ピン等で連結する構成であっても良い。
【００３３】
その他に、連結ピン４は、一体となった頭部４２と軸部４１に対して軸先部４４を揺動可能に連結したものに限らず、一体となった頭部４２と軸部４１に対して割ピン（図示せず）を軸部４１の先端部に差し込むもの等、他の形態であっても良い。
【符号の説明】
【００３４】
１送電線用足場
２懸垂部材
３足場部材
４連結ピン
４１軸部
４２頭部
４３ピン
４４軸先部
５フック部
５１フック本体部
５１ａ上顎片
５１ｂ上片
５１ｃ接続片
５１ｄ下片
５１ｅ下顎片
５１ｆ送電線挿入口
５１ｇ送電線収容空間
５２滑り止め部
５３閉鎖部材
５４軸
５５ブラケット部
５６ネジ部材
５７ナット部材
５８接合部
６上柱部
６１ａ第１の止め孔
６１ｂ第２の止め孔
６２取付部
６３チェーン
７下柱部
７１ａ第３の止め孔
７１ｂ第４の止め孔
７２補強板
８踏板部
８１ａ連結孔
８２振れ止めロープ
８３安全帯
８４落下防止ロープ
９土台部
９１縦補強部材
９２横補強部材
１０柱部
Ａアークホーン
Ｃクランプ
Ｉ懸垂がいし連
Ｌ送電線
Ｒアーマロッド
【図１】
2014062399.tif 000003
【図２】
2014062399.tif 000004
【図３】
2014062399.tif 000005
【図４】
2014062399.tif 000006